(57)【特許請求の範囲】
【請求項１】
合成樹脂等の人工素材製の独立した多数の羽根(1) と、それらが植設固定された打撃用頭部(2) と、を具備し、
前記羽根(1) の中心に配置された羽根軸(3) およびその両側に一体的に延在された羽根弁(4) の少なくとも一部が細長い中空に形成されたことを特徴とする人工素材製シャトルコック。
【請求項２】
請求項１において、
前記羽根弁(4) の大部分または全部が細長い中空に形成された人工素材製シャトルコック。
【請求項３】
請求項２において、
前記羽根軸(3) と羽根弁(4) との間に仕切(5) が形成された人工素材製シャトルコック。
【請求項４】
請求項１において、
前記羽根軸(3) 及び羽根弁(4) の内部に多数の細管部(9) が設けられた人工素材製シャトルコック。
【請求項５】
請求項１において、
前記羽根軸(3) から前記羽根弁(4) 内に延在された複数の枝部(6) を有し、その枝部(6) が細長い中空に形成された人工素材製シャトルコック。
【請求項６】
請求項１において、
前記羽根弁(4) の外周縁に細長い中空の外縁部(7) が形成された人工素材製シャトルコック。
【発明の詳細な説明】
【０００１】
【産業上の利用分野】
本発明は、ポリプロピレンやナイロンなどの合成繊維を含む合成樹脂、カーボンやボロン等の人工的繊維からなる人工素材製の独立した多数の羽根を有するシャトルコックに関する。
【０００２】
【従来の技術】
バドミントンの競技人口の増加に伴って、水鳥羽根を用いたシャトルコックは将来的に入手困難になる可能性が高い。また、水鳥羽根は品質が一定せず生産性に劣ることから安価で量産性の高い合成樹脂等の人工素材製シャトルコックが求められている。
従来の合成樹脂製等の人工素材製シャトルコックとして広く知られているものは、その羽根全体が環状に一体成形されたものであった。この人工素材製シャトルコックは、所謂スカートが一体的に繋がったものであり、ラケットによる打撃時にしばしばそれが一部たわむように不規則に変形し、蛇行するような飛行をすることがある。これは天然の羽根によるシャトルコックのように、その打撃時に各羽根が独立して自由に頭部の軸線側につぼまるように変形し、再び速やかに復元するという動作がとれないからである。
【０００３】
次に、他の人工素材製のシャトルコックにおいて、独立した羽根を有するものが特開昭５７−３７４６４号，特開昭５７−１７７８２号，特開昭５９−６９０８６号さらには実開昭５９−１５０４７５号として提案されていた。これらのシャトルコックは、少なくとも羽根の軸部を合成樹脂材で形成し、独立した多数の合成樹脂羽根を打撃用頭部に植設することにより、天然の羽根がもつ感触や飛翔特性を得ようとするものであった。
ところが、天然の羽根に比べて合成樹脂材等の人工素材製の羽根はその密度が天然の羽根よりも大きく、天然ものと同様の強度の羽根を造ろうとすると、全体として重量が大となり、競技用スポーツ用品には適さなくなるという欠点があった。
そこで、実開昭５９−１５０４７５号のシャトルコックは、その軸部を管状構造にして羽根の軽量性を維持し、その一本毎の強度を増すことを提案していた。
【０００４】
【発明が解決しようとする課題】
羽根の軸部を管状構造にすることにより、羽根の軽量化と強度の増大とを図る提案がなされているものの、それだけでは打撃時における飛翔特性を天然の水鳥の羽根に近いものにすることは困難であった。それは、羽根の飛翔特性の大部分に影響を与える弁部が従来の合成樹脂製のものと変わらないからである。そのため羽根全体としての軽量性及び打撃時における復元性に問題があった。
そこで本発明は、上記の課題を解決するために次の構成をとる。
【０００５】
【課題を解決するための手段】
請求項１に記載の本発明は、合成樹脂等の人工素材製の独立した多数の羽根(1) と、それらが植設固定された打撃用頭部(2) と、を具備し、
前記羽根(1) の中心に配置された羽根軸(3) およびその両側に一体的に延在された羽根弁(4) の少なくとも一部が夫々細長い中空に形成されたことを特徴とする人工素材製シャトルコックである。
請求項２に記載の本発明は、請求項１において、
前記羽根弁(4) の大部分または全部が細長い中空に形成された人工素材製シャトルコックである。
請求項３に記載の本発明は、請求項２において、
前記羽根軸(3) と羽根弁(4) との間に仕切(5) が形成された人工素材製シャトルコックである。
請求項４に記載の本発明は、請求項１において、
前記羽根軸(3) 及び羽根弁(4) の内部に多数の細管部(9) が設けられた人工素材製シャトルコックである。
請求項５に記載の本発明は、請求項１において、
前記羽根軸(3) から前記羽根弁(4) 内に延在された複数の枝部(6) を有し、その枝部(6) が細長い中空に形成された人工素材製シャトルコックである。
請求項６に記載の本発明は、請求項１において、
前記羽根弁(4) の外周縁に細長い中空の外縁部(7) が形成された人工素材製シャトルコックである。
【０００６】
【実施例】
次に、図面に基づいて本発明の各実施例につき説明する。
図１は本発明の第一実施例の平面図であり、図２は図１のＩＩ−ＩＩ矢視断面略図である。
この実施例の羽根１は、羽根軸３が根元から先端に向かって次第に細く形成され、その羽根軸３の中間部から先端部の間の羽根軸３の両側に羽根弁４が一体的に延在している。そして羽根軸３及び羽根弁４は、図２に示す如く内部が中空に形成されている。さらに、羽根弁４はその幅方向両縁程その厚みが薄くなっている。なお、羽根軸３の根元部は打撃用頭部２の孔に植設し易いように片面側が斜めに切り落とされたような形状を有する。
この羽根１はナイロンやポリプロピレン、ポリエステル等の合成繊維、合成樹脂で一体的に成形することができる。またカーボン（炭素繊維）やボロン等の無機化合物からなる新素材を含む人工素材で形成することができる。
次に、図３は本発明の第二実施例であり、羽根１を図２と同様の方向から見たものである。この実施例が図２のそれと異なる点は、羽根弁４の中間部までが中空であり、羽根弁４の幅方向縁部は閉塞部４ａが形成されている。即ち、羽根軸３に近い羽根弁４の一部のみが中空に形成されたものである。
【０００７】
次に、図４は本発明の第三実施例であり、この実施例が前記図２の実施例と異なる点は、羽根軸３と羽根弁４との各内部の境に仕切５が形成された点である。この実施例では仕切５の存在により、羽根１全体の弾発特性及び強度を向上させている。
次に、図５は前記第二実施例（図３）において、羽根軸３と羽根弁４との間に仕切５を形成したものである。
次に図６は図４の実施例において、仕切５と羽根弁４の先端との間にさらに複数の仕切５ａを介在させ、羽根弁４自体の弾発特性及び強度をさらに向上させたものである。
次に図７は、羽根１の断面において、多数の細管部９が羽根の長手方向にほぼ平行に設けられたものである。そして羽根自体の形状は図１のそれと同じである。このような羽根１を形成するには、一例として図８に示すような多数の細管部９を有する軸体をその長手方向に引き延ばすと共に、その先端部においては幅方向に押し広げることにより、全体として図１に示す形状を得るものである。
【０００８】
次に、図９及び図１０は本発明のさらに他の実施例であり、この実施例は羽根弁４に羽根軸３から斜め方向に枝部６が形成され、その枝部６が図１０の如く中空に形成されている。そして枝部６以外の羽根弁４は、皮膜状に複数の枝部６間を連結している。
次に図１１は図９の変形例であり、この実施例が図９のそれと異なる点は羽根弁４の外周縁に沿って外縁部７が形成され、その外縁部７が枝部６と同様に中空に形成されたものである。
次に図１２は本発明のさらに他の実施例であり、この実施例では羽根弁４のみに中空の外縁部７が設けられ、羽根弁４の他の部分は皮膜状に形成されているものである。
図１１，図１２の実施例においては、羽根弁４の周縁が外縁部７で囲まれているため、ラケットによる打撃時に羽根１の周縁を損傷することが少ない。また、軽量で弾発性の良い羽根を提供できる。
これらの羽根１は、図１３に示す如く打撃用頭部２の穿設孔に羽根軸３の根元部が夫々植設され、接着剤でその植設部が固定されると共に、締結糸８により各羽根軸３どうしが締結固定されるものである。この植設工程は、従来の水鳥羽根のそれと同一である。
【０００９】
【発明の作用・効果】
本発明のシャトルコックは、合成樹脂等の人工素材製の独立した羽根１の羽根軸３及びその両側に一体的に延在された羽根弁４の少なくとも一部を夫々細長い中空に形成したから、特に羽根弁４の腰を強くし、打撃直後の羽根１の復元力を増大させ、天然羽根と同等の飛翔特性を得ることができると共に、羽根１の軽量化に寄与できる。即ち、シャトルコックはラケットの打撃により独立した夫々の羽根が一旦打撃用頭部２の軸線側につぼまり、それが復元することによりブレーキ作用を起こして、理想的な飛行を行うものである。天然羽根においては、その羽根軸のみならず羽根弁自体にも大きな復元力を有するが、本発明の合成樹脂等の人工素材製シャトルコックにおいても、その羽根弁４の少なくとも一部に細長い中空が形成されているから、天然羽根同様の復元力が期待できる。それと共に、その復元力を維持しつつ、天然羽根同様に軽量化することが可能となる。
【００１０】
又、羽根軸３と羽根弁４との境部に仕切５を設けたものにおいては、さらに復元力を強化できる。それと共に、シャトルコックの強度を強く保ち得る。
次に、羽根軸３及び羽根弁４に多数の細管部９を設けたものにおいては、柔軟性及び復元性がさらに向上する。
さらには、羽根軸３から羽根弁４内に延在された複数の枝部６を有し、その枝部６が細長い中空に形成されたものにおいては、羽根弁４の復元性と軽量化がさらに向上できる。
また、羽根弁４の外周縁に細長い中空の外縁部７を形成したものにおいては、羽根１外周の強度が増し、耐久性の高いシャトルコックとなる。
【図面の簡単な説明】
【図１】本発明の第一実施例の羽根１の平面図。
【図２】図１のＩＩ−ＩＩ矢視断面略図。
【図３】本発明の第二実施例の羽根１であって、図２と同様の方向から見たもの。
【図４】同第三実施例の羽根１。
【図５】同第四実施例の羽根１。
【図６】同第五実施例の羽根１。
【図７】同第六実施例の羽根１。
【図８】図７の羽根１の製造方法の一例を示す説明図。
【図９】本発明の第七実施例の羽根１の平面図。
【図１０】図９のＸ−Ｘ線断面における端面図。
【図１１】本発明の第八実施例の羽根１の平面図。
【図１２】同第九実施例の平面図。
【図１３】本発明のシャトルコックの全体的斜視図。
【符号の説明】
１  羽根
２  打撃用頭部
３  羽根軸
４  羽根弁
４ａ  閉塞部
５  仕切
５ａ  仕切
６  枝部
７  外縁部
８  締結糸
９  細管部
【図１】
0003629642.tif 000002
【図２】
0003629642.tif 000003
【図３】
0003629642.tif 000004
【図４】
0003629642.tif 000005
【図５】
0003629642.tif 000006
【図６】
0003629642.tif 000007
【図７】
0003629642.tif 000008
【図８】
0003629642.tif 000009
【図９】
0003629642.tif 000010
【図１０】
0003629642.tif 000011
【図１１】
0003629642.tif 000012
【図１２】
0003629642.tif 000013
【図１３】
0003629642.tif 000014